(57)【要約】【課題】自動洗浄時にトイレットペーパー等の水洗対象物を使用する必要が生じた場合に、便器の洗浄と使用済みの水洗対象物の水洗とを良好に行うことができ、かつ該便器洗浄及び使用済み水洗対象物の水洗に使用される洗浄水の総量を低減することが可能な便器洗浄装置を提供する。【解決手段】自動洗浄が実施されている途中で使用者が中止操作スイッチ２６を操作すると、中止操作スイッチ２６が制御回路４１に中止操作信号を送信する。制御回路４１がこの中止操作信号を受信すると、制御回路４１は、給水管３４の電磁弁（図示略）を閉弁させるための制御信号を送信し、電磁弁が閉弁する。これにより、便器の自動洗浄が中止される。その後、使用者が大用スイッチ２１又は小用スイッチ２２を操作すると、大用自動洗浄又は小用自動洗浄が実施される。【選択図】図２
2011219998.tif 000002
【特許請求の範囲】
【請求項１】
便器に洗浄水を供給する洗浄水供給手段と、
便座からの離座を検知する離座検知手段と、
該離座検知手段が離座を検知した後、設定時間が経過したときに該洗浄水供給手段を作動させる制御手段と
を有する便器洗浄装置において、
該洗浄水供給手段の作動中に操作したときに、該作動を中止させる中止信号を該制御手段に送信する中止操作手段を有しており、
該制御手段は、該中止信号を受信すると、該設定時間が経過しても該洗浄水供給手段を作動させないよう構成されていることを特徴とする便器洗浄装置。
【請求項２】
請求項１において、前記設定時間が経過する前に操作したときに、該設定時間を遅延させる遅延操作手段を有することを特徴とする便器洗浄装置。
【請求項３】
請求項１又は２において、前記設定時間が経過するよりも前の時点で、使用者に対して自動洗浄を予告する洗浄予告手段を有することを特徴とする便器洗浄装置。
【請求項４】
請求項１ないし３のいずれか１項において、前記中止操作手段は中止操作スイッチであり、
便器洗浄装置の各種機能を停止させる停止スイッチが、該中止操作スイッチを兼ねることを特徴とする便器洗浄装置。
【請求項５】
請求項１ないし３のいずれか１項において、前記中止操作手段は、便蓋の開動作を検知して前記中止信号を前記制御手段に送信する便蓋回動検知手段であることを特徴とする便器洗浄装置。
【請求項６】
請求項１ないし３のいずれか１項において、前記中止操作手段は、使用者の声を検知して前記中止信号を前記制御手段に送信する音声検知手段であることを特徴とする便器洗浄装置。
【発明の詳細な説明】
【技術分野】
【０００１】
本発明は、便器の自動洗浄を行う便器洗浄装置に関する。
【背景技術】
【０００２】
使用者が便器から離れてから設定時間が経過した後に、便器が自動洗浄される便器洗浄装置は公知である。このような便器洗浄装置としては種々のものが知られている。
【０００３】
例えば、特開平２００６−１７７０６４号公報（特許文献１）には、使用者が便座から離座すると、報知音が鳴った後に自動洗浄が実施される便器洗浄装置が記載されている。この報知音の発生により、使用者は自動洗浄の実施を確実に認識することができ、安心してトイレから退出することができる。
【０００４】
特開平７−１０９７５７号公報（特許文献２）には、使用者が便器から離れてから設定時間が経過した後に自動洗浄が行われる便器洗浄装置において、該設定時間内に洗浄停止スイッチを操作すると、該設定時間を越えても自動洗浄が実施されないように構成された便器洗浄装置が記載されている。これにより、使用者が貴重品等を便器に落としてしまったときに、該貴重品を洗浄水で流してしまうことが回避される。
【先行技術文献】
【特許文献】
【０００５】
【特許文献１】特開平２００６−１７７０６４号公報
【特許文献２】特開平７−１０９７５７号公報
【発明の概要】
【発明が解決しようとする課題】
【０００６】
特許文献１，２の便器洗浄装置によると、自動洗浄開始後に、例えば便器等を拭いたり鼻をかんだりするためにトイレットペーパーを使用する必要が生じた場合、トイレットペーパーの使用中に自動洗浄が終了してしまうことがある。この場合、自動洗浄が終了した後に、この使用済みのトイレットペーパーを流すためだけに再度便器を洗浄水で洗浄する必要が生じて無駄である。また、自動洗浄の途中からトイレットペーパーを入れても必要な便器洗浄水量（例えば６Ｌ）のうち残り分（例えば３Ｌ）しかなく、後から入れたトイレットペーパーが流れずに残ってしまい、結局のところ再度（例えば６Ｌ）流す必要がある。
【０００７】
本発明は、自動洗浄時にトイレットペーパー等の水洗対象物を使用する必要が生じた場合に、便器の洗浄と使用済みの水洗対象物の水洗とを良好に行うことができ、かつ該便器洗浄及び使用済み水洗対象物の水洗に使用される洗浄水の総量を低減することが可能な便器洗浄装置を提供することを目的とする。
【課題を解決するための手段】
【０００８】
本発明（請求項１）の便器洗浄装置は、便器に洗浄水を供給する洗浄水供給手段と、便座からの離座を検知する離座検知手段と、該離座検知手段が離座を検知した後、設定時間が経過したときに該洗浄水供給手段を作動させる制御手段とを有する便器洗浄装置において、該洗浄水供給手段の作動中に操作したときに、該作動を中止させる中止信号を該制御手段に送信する中止操作手段を有しており、該制御手段は、該中止信号を受信すると、該設定時間が経過しても該洗浄水供給手段を作動させないよう構成されていることを特徴とするものである。
【０００９】
請求項２の便器洗浄装置は、請求項１において、前記設定時間が経過する前に操作したときに、該設定時間を遅延させる遅延操作手段を有することを特徴とするものである。
【００１０】
請求項３の便器洗浄装置は、請求項１又は２において、前記設定時間が経過するよりも前の時点で、使用者に対して自動洗浄を予告する洗浄予告手段を有することを特徴とするものである。
【００１１】
請求項４の便器洗浄装置は、請求項１ないし３のいずれか１項において、前記中止操作手段は中止操作スイッチであり、便器洗浄装置の各種機能を停止させる停止スイッチが、該中止操作スイッチを兼ねることを特徴とするものである。
【００１２】
請求項５の便器洗浄装置は、請求項１ないし３のいずれか１項において、前記中止操作手段は、便蓋の開動作を検知して前記中止信号を前記制御手段に送信する便蓋回動検知手段であることを特徴とするものである。
【００１３】
請求項６の便器洗浄装置は、請求項１ないし３のいずれか１項において、前記中止操作手段は、使用者の声を検知して前記中止信号を前記制御手段に送信する音声検知手段であることを特徴とするものである。
【発明の効果】
【００１４】
本発明（請求項１）の便器洗浄装置によると、中止操作手段の操作によって便器の洗浄水による洗浄（自動洗浄）を中止させ、水洗対象物を便器に捨ててから、便器の自動洗浄を再開することができる。これにより、自動洗浄を最後まで実施してしまった後に、水洗対象物を流すためだけに再度自動洗浄を実施する場合と比べ、洗浄水の消費量が少なくなる。また、自動洗浄の中止後に、余裕をもってトイレットペーパー等の水洗対象物を使用し、便器に捨てることができる。
【００１５】
本発明において、設定時間が経過する前に操作したときに、該設定時間を遅延させる遅延操作手段を有することが好ましい。これにより、自動洗浄の開始前の時点で自動洗浄を遅延させる必要のあることがわかっているときに、自動洗浄を確実に遅延させることができる。
【００１６】
本発明において、設定時間が経過するよりも前の時点で、使用者に対して自動洗浄を予告する洗浄予告手段を有することが好ましい。これにより、使用者は自動洗浄が開始するタイミングを知ることができる。また、この予告時に、前記遅延操作手段を操作する必要があるか否かを判断することができる。
【００１７】
この中止操作手段は、便座ボックス及び／又はリモコンに設置された中止操作スイッチであってもよい。この中止操作スイッチの操作により、容易に自動洗浄を中止することができる。
【００１８】
また、便器洗浄装置の各種機能を停止させる停止スイッチがこの中止操作スイッチを兼ねるようにしてもよい。これにより、スイッチの個数を少なくすることができる。
【００１９】
この中止操作手段は、便蓋の開動作を検知して前記中止信号を前記制御手段に送信する便蓋回動検知手段であってもよい。これにより、水洗対象物を便器に捨てるために便蓋を開ける動作を中止操作手段と兼ねることができるため、さらにスイッチ操作をする等の手間が省かれる。
【００２０】
この中止操作手段は、使用者の声を検知して前記中止信号を前記制御手段に送信する音声検知手段であってもよい。これにより、両手が塞がっていても自動洗浄を容易に中止することができる。
【図面の簡単な説明】
【００２１】
【図１】実施の形態に係る便器洗浄装置が設置されたトイレルームの斜視図である。
【図２】図１の便器洗浄装置の制御ブロック図である。
【発明を実施するための形態】
【００２２】
以下、図面を参照して本発明の好適な形態について説明する。第１図は実施の形態に係る便器洗浄装置が設置されたトイレルームの斜視図、第２図は第１図の便器洗浄装置の制御ブロック図である。
【００２３】
第１図に示すように、洋風便器本体１の後部に、便座ボックス２が設置されている。この便座ボックス２には、便座３及び便蓋４が回動可能に取り付けられている。この洋風便器本体１は水道直結型であり、給水管（洗浄水供給手段）３４（第２図）がタンクを介することなく洋風便器本体１のリムに接続されている。
【００２４】
この便座ボックス２の内部には、便座着座者の臀部を温水で洗浄するための洗浄ノズル５を備えた温水洗浄装置３３（第２図）と、便座３へ着座した人体を検知する着座センサ（離座検知手段）９と、スピーカ７ａを備えた音声装置（洗浄予告手段）７（第２図）と、制御回路（制御手段）４１（第２図）とが設けられている。便座ボックス２の側面には手動式フラッシュハンドル８が設けられている。但し、洗浄ノズルが無いただの暖房便座でもよい。すなわち本願発明は、自動便器洗浄の機能をもったトイレの総てに適用される。
【００２５】
トイレルームの壁面にリモコン２０が設置されている。このリモコン２０の上面に、大用スイッチ２１と小用スイッチ２２が設けられている。このリモコン２０の前面の右側には、後述する便器の自動洗浄を中止する中止操作スイッチ（中止操作手段）２６と、該自動洗浄の開始を遅延させる遅延操作スイッチ（遅延操作手段）２７と、おしり洗浄用のおしりスイッチ２３と、ビデスイッチ２４と、おしり洗浄及びビデ洗浄を停止させる停止スイッチ２５とが設けられている。このリモコン２０の前面の左側には、表示パネル３１と、開閉可能なカバー３２とが設けられている。このカバー３２内に、後述する設定時間を設定するための設定スイッチ（大）２８及び設定スイッチ（小）２９が設けられている。
【００２６】
大用スイッチ２１を押すと、給水管（洗浄水供給手段）３４（第２図）から便器本体１に洗浄水が所定量（例えば６Ｌ）だけ給水され、便器の大用自動洗浄が行われる。小用スイッチ２２を押すと、給水管３４（第２図）から便器本体１に洗浄水が所定量（例えば５Ｌ）だけ給水され、便器の小用自動洗浄が行われる。おしりスイッチ２３を押すと、洗浄ノズル５から温水が噴出し、臀部が洗浄される。ビデスイッチ２４を押すと、洗浄ノズル５から温水が噴出する。停止スイッチ２５を押すと、洗浄ノズル５からの温水の噴出が停止する。設定スイッチ２８，２９を操作することにより、後述する設定時間の長さを調節することが可能である。
【００２７】
第２図に示す通り、制御回路４１は、着座センサ９、中止操作スイッチ２６、遅延操作スイッチ２７、設定スイッチ２８，２９、及びスイッチ２１〜２５からの信号を受信し、給水管３４に設置された電磁弁（図示略）、音声装置７、温水洗浄装置３３の電磁弁（図示略）、表示パネル３１に制御信号を発信可能とされている。
【００２８】
第２図に示す通り、便器洗浄装置４０は、これら制御回路４１、着座センサ９、中止操作スイッチ２６、遅延操作スイッチ２７、設定スイッチ２８，２９、給水管３４及び音声装置７から構成されている。
【００２９】
次に、この便器洗浄装置４０の動作例について説明する。
【００３０】
＜動作例１（スイッチ２６，２７が操作されない場合の動作例）＞  
使用者が便座３に着座して用を済ませた後、便座３から離座すると、該着座センサ９が離座信号を制御回路４１に送信する。制御回路４１がこの離座信号を受信すると、タイマがスタートする。このタイマがスタートしてから所定時間ｔ１（例えば７秒）が経過すると、該制御回路４１が音声装置７に制御信号を発信し、音声装置７のスピーカ７ａが後述する自動洗浄を予告するための洗浄予告音を発生する。その後、タイマがスタートしてから設定時間Ｔ（例えば１０秒）が経過すると、制御回路４１が給水管３４の電磁弁（図示略）を開弁させるための制御信号を送信し、電磁弁が所定時間開弁する。これにより、便器の自動洗浄が実施される。この自動洗浄では、上記大用自動洗浄（例えば６Ｌ）と同様の洗浄が実施される。
【００３１】
なお、タイマがスタートしてから上記設定時間Ｔが経過するまでの間に、使用者が大用スイッチ２１又は小用スイッチ２２を操作した場合には、その時点で便器の大用自動洗浄又は小用自動洗浄が行われる。また、タイマが停止し、設定時間Ｔが経過しても自動洗浄が再度実施されることはない。
【００３２】
なお、上記設定時間Ｔは、設定スイッチ２８，２９を操作して予め設定しておく。例えば、便器洗浄装置をトイレルームに設置するときに設定しておく。設定スイッチ（大）２８を操作すると設定時間Ｔが長くなり、設定スイッチ（小）２９を操作すると設定時間Ｔが短くなる。
【００３３】
上記動作例では、洗浄予告音は１回（例えば自動洗浄開始の３秒前）だけ発生されるが、異なるタイミングで２回（例えば自動洗浄開始の５秒前と３秒前）発声されてもよく、３回以上発声されてもよい。また、この洗浄予告音は、「ピッ」というような機械音でもよく、「あと５秒で自動洗浄を開始します」というような言語でもよい。
【００３４】
＜動作例２（遅延操作スイッチ２７が操作される場合の動作例）＞  
使用者が便座３に着座して用を済ませた後、便座３から離座すると、該着座センサ９が離座信号を制御回路４１に送信する。制御回路４１がこの離座信号を受信すると、タイマがスタートする。
【００３５】
このタイマがスタートしてから上記設定時間Ｔ（例えば１０秒）が経過するまでの間に使用者が遅延操作スイッチ２７を操作すると、遅延操作スイッチ２７が遅延操作信号を制御回路４１に送信する。制御回路４１がこの遅延操作信号を受信すると、タイマがリセットされ、再スタートする。このタイマが再スタートしてから第２の所定時間ｔ２（例えば３秒）が経過すると、該制御回路４１が音声装置７に制御信号を発信し、音声装置７のスピーカ７ａが後述する自動洗浄を予告するための洗浄予告音を発生する。その後、タイマが再スタートしてから遅延時間Ｔ１（例えば７秒）が経過すると、制御回路４１が給水管３４の電磁弁（図示略）を開弁させるための制御信号を送信し、電磁弁が所定時間開弁する。これにより、便器の自動洗浄が実施される。
【００３６】
なお、タイマが再スタートしてから上記遅延時間Ｔ１が経過するまでの間に、使用者が大用スイッチ２１又は小用スイッチ２２を操作した場合には、その時点で便器の大用自動洗浄又は小用自動洗浄が行われる。このように大用スイッチ２１及び小用スイッチ２２が操作された場合には、タイマが停止し、遅延時間Ｔ１が経過しても再度自動洗浄が実施されることはない。
【００３７】
＜動作例３（中止操作スイッチ２６が操作される場合の動作例）＞  
次に、上記動作例１，２に従って自動洗浄が実施されている途中で、使用者が中止操作スイッチ２６を操作した場合の動作例について説明する。ここで「自動洗浄が実施されている途中」とは、上記動作例１において設定時間Ｔが経過して自動洗浄が実施されている途中、上記動作例２において遅延時間Ｔ１が経過して自動洗浄が実施されている途中、及び、上記実施例１，２において大用スイッチ２１又は小用スイッチ２２が操作されて大用自動洗浄又は小用自動洗浄が実施されている途中をいう。
【００３８】
上記自動洗浄が実施されている途中で使用者が中止操作スイッチ２６を操作すると、中止操作スイッチ２６が制御回路４１に中止操作信号を送信する。制御回路４１がこの中止操作信号を受信すると、制御回路４１は、給水管３４の電磁弁（図示略）を閉弁させるための制御信号を送信し、電磁弁が閉弁する。これにより、便器の自動洗浄が中止される。その後、使用者が大用スイッチ２１又は小用スイッチ２２を操作すると、大用自動洗浄又は小用自動洗浄が実施される。なお、リム−ジェット−リムの洗浄パターンの中で、ジェットのタイミング中に中止操作スイッチ２６が操作された場合には、ジェットを直ちに中止し、一定水量をリムから流すことも可能とする。これにより、ジェットで中止した場合に封水が切れて臭気が戻ってくることを防ぐことができる。
【００３９】
本動作例の利点は以下の通りである。すなわち、上記動作例１，２に従って自動洗浄が実施されている途中で、便器等を拭いたり鼻をかんだりするためにトイレットペーパー等の水洗対象物を使用したくなることがある。この場合、この実施中の自動洗浄を利用してこの水洗対象物を水洗するためには、あわてて水洗対象物を使用する必要があり不便である。また、このようにあわてて水洗対象物を使用した甲斐もなく、この自動洗浄に間に合わないこともある。この場合、この使用済みの水洗対象物を流すためだけに、大用スイッチ２１や小用スイッチ２２を操作して便器の自動洗浄を再度行う必要があり、水の消費量が多くなる。本動作例によると、自動洗浄の途中で該自動洗浄を中止することができるため、あわてることなく水洗対象物を使用することができる。また、使用済みの水洗対象物を便器に捨てた後に大用スイッチ２１や小用スイッチ２２を操作することにより、使用済みの水洗対象物を確実に水洗することができる。さらに、自動洗浄が完全に終了した後に再度自動洗浄を実施する場合と比べて、最初の自動洗浄を途中で中止した分だけ水使用量が少なくなる。
【００４０】
なお、本動作例では、中止操作スイッチ２６が操作されるとタイマが停止したが、これに限定されるものではない。例えば、中止操作スイッチ２６が操作されると、タイマがリセットされて再スタートし、第２の設定時間Ｔ２（例えば１０秒）が経過すると、便器の自動洗浄が実施されるようにしてもよい。これにより、使用者が大用スイッチ２１又は小用スイッチ２２を操作し忘れたときにも、便器が確実に自動洗浄される。この場合、この第２の設定時間Ｔ２が経過する前に、上記自動洗浄を予告するための洗浄予告音を発生するようにしてもよく、遅延操作スイッチ２７の操作によりこの第２の設定時間Ｔ２をさらに遅延可能としてもよい。
【００４１】
上記実施の形態は本発明の一例であり、本発明は上記実施の形態に限定されるものではない。
【００４２】
すなわち、上記実施の形態では、リモコンに設けられた中止操作スイッチ２６を中止操作手段としたが、これに限定されない。例えば、リモコン２０の停止スイッチ２５が中止操作スイッチを兼ねるようにしてもよい。この場合、自動洗浄中に停止スイッチ２５を操作したときに、中止操作スイッチとして機能するようにすればよい。中止操作スイッチ２６を便座ボックス２に設けてもよい。
【００４３】
中止操作手段は、便蓋４の開動作を検知する便座回動検知手段であってもよい。例えば、この便座回動検知手段と、使用者が便座から離座したときに便蓋４を閉止させる便蓋回動装置とを便座ボックス２と便蓋４との連結部付近に設置する。この場合、使用者が離座すると、便蓋４が閉じ、上記設定時間Ｔ，Ｔ２又は遅延時間Ｔ１の経過後に自動洗浄が実施される。この自動洗浄中に使用者が便蓋４を開けると、便蓋回動検知手段が検知して制御回路４１に中止信号を送信することにより、自動洗浄が中止される。
【００４４】
中止操作手段は、使用者の声を検知して中止信号を制御回路４１に送信する音声検知手段であってもよい。この場合、自動洗浄中に使用者が「待て」等の言葉を発生すると、この発生を音声検知手段が検知し、制御回路４１に中止信号を送信することにより、自動洗浄が中止される。
【００４５】
なお、これら便座回動検知手段及び音声検知手段を上記遅延操作手段として用いてもよい。この場合、使用者が離座してから設定時間Ｔが経過する前までの間に、使用者が便蓋４を開けるか又は「待て」等の言葉を発すると、便座回動検知手段又は音声検知手段が遅延操作信号を制御回路４１に送信する。これにより、遅延時間Ｔ１の経過後に便器の自動洗浄が実施される。
【符号の説明】
【００４６】
１  便器本体
２  便座ボックス
３  便座
４  便蓋
５  洗浄ノズル
７  音声装置
７ａ  スピーカ
９  着座センサ
２０  リモコン
２１〜２５  スイッチ
２６  中止操作スイッチ
２７  遅延操作スイッチ
２８〜２９  設定スイッチ
３４  給水管
４１  制御回路
【図１】
2011219998.tif 000003
【図２】
2011219998.tif 000004